(57)【要約】【課題】保守に関する情報を利用者の認識しやすい状態で選択的、かつ、適切に表示する。【解決手段】かご操作盤２１に設けられた保守情報案内表示部２６と、判定用識別情報を記憶する保守情報記憶手段３１ａと、パソコン４から保守識別情報を含むエレベータの保守に関する情報を受信したとき、保守識別情報が判定用識別情報と一致したとき、保守情報記憶手段３１ａの判定用識別情報に対応付けてエレベータの保守に関する情報である保守情報表示期間及び保守案内情報を記憶する保守情報判断記憶手段３３ｂと、この保守情報判断記憶手段に記憶される保守情報表示期間から表示開始日時に達したかを判断する表示日時判断手段３３ｃと、表示開始日時に達したとき、テールコード１６を介して保守情報案内表示部２６に保守案内情報を表示するかご内表示手段３３ｄとを有する保守情報処理部３３を持ったエレベータ制御装置３とを備えた保守情報案内装置である。【選択図】      図４
2008074534.tif 000002
【特許請求の範囲】
【請求項１】
外部機器からエレベータの保守に関する情報を受信し、利用者に案内表示するエレベータの保守情報案内装置において、
前記エレベータ乗りかご内のかご操作盤に設けられた保守情報案内表示部と、
前記外部機器からエレベータの保守に関する情報の一種である保守案内情報を受信し、エレベータ乗りかごに接続されているテールコードを介して前記保守情報案内表示部に前記保守案内情報を表示する保守情報処理部を持ったエレベータ制御装置とを備えたことを特徴とするエレベータの保守情報案内装置。
【請求項２】
外部機器からエレベータの保守に関する情報を受信し、利用者に案内表示するエレベータの保守情報案内装置において、
前記エレベータ乗りかご内のかご操作盤に設けられた保守情報案内表示部と、
エレベータ制御装置に設けられ、判定用識別情報を記憶する保守情報記憶部と、
外部機器からエレベータの保守に関する情報である保守識別情報、保守情報表示期間、保守案内情報を受信したとき、当該保守識別情報が前記判定用識別情報と一致したとき、前記保守情報記憶部の該当する前記判定用識別情報に対応付けて前記保守情報表示期間及び前記保守案内情報を記憶する保守情報判断記憶手段と、この保守情報判断記憶手段に記憶される保守情報表示期間に基づいて表示開始日時に達したか否かを判断する表示日時判断手段と、この表示日時判断手段によって前記保守情報表示期間が表示開始日時に達したとき、エレベータ乗りかごに接続されているテールコードを介して前記保守情報案内表示部に前記保守案内情報を表示するかご内表示手段とを有する保守情報処理部を持ったエレベータ制御装置とを備えたことを特徴とするエレベータの保守情報案内装置。
【請求項３】
請求項１または請求項２に記載のエレベータの保守情報案内装置において、
前記保守情報処理部としては、前記エレベータ乗りかご内またはエレベータ制御装置に設置される点検スイッチがオン操作されたとき、前記保守情報記憶部に対して前記保守案内情報とともに記憶された保守終了時間を読み出し、建物の各階乗場に設置される乗場表示装置のうち、適宜な乗場の乗場表示装置に表示する乗場表示手段と、この保守終了時間を経過しても前記点検スイッチがオフ操作されないとき、前記保守終了時間に所定時間分延長させた保守終了時間を前記保守情報記憶装置に書き込み更新するとともに、該当する乗場の乗場表示装置に表示させる保守時間更新手段を付加したことを特徴とするエレベータの保守情報案内装置。
【請求項４】
前記保守案内情報としては、点検日、点検日時、点検期間の何れか１つの情報であることを特徴とする請求項１ないし請求項３の何れか一項に記載のエレベータの保守情報案内装置。
【請求項５】
前記保守情報処理部の保守情報判断記憶手段は、前記外部機器から建物ＩＤ及びエレベータ号機ＩＤからなる前記保守識別情報を受信したとき、予め前記保守情報記憶装置に記憶される判定用建物ＩＤ及び判定用エレベータ号機ＩＤからなる前記判定用識別情報と比較判断し、一致したときに当該判定用建物ＩＤ及び判定用エレベータ号機ＩＤに対応付けて前記保守情報表示期間及び前記保守案内情報を記憶し、
前記保守情報処理部の表示日時判断手段は、前記保守情報判断記憶手段に記憶される前記判定用建物ＩＤ及び判定用エレベータ号機ＩＤに対応付けられた複数の保守情報表示期間のうち、最も早い表示開始日時となるエレベータ号機の順位を特定していき、
前記保守情報処理部の前記かご内表示手段は、表示開始日時の早い順に前記テールコードを介して前記保守情報案内表示部に前記保守案内情報を表示することを特徴とする請求項２ないし請求項３４の何れか一項に記載のエレベータの保守情報案内装置。
【発明の詳細な説明】
【技術分野】
【０００１】
本発明は、エレベータの保守に関する情報を利用者に案内表示するエレベータの保守情報案内装置に関する。
【背景技術】
【０００２】
エレベータの点検日，点検時間などの利用者への通知は、専ら建物の管理者がエレベータ保守会社からの連絡を受け取り、各階乗場の掲示板や貼り紙を利用し、利用者に点検日，点検時間等を知らせる方法をとっている。
【０００３】
しかし、掲示板や貼り紙を用いた通知は、利用者が毎日掲示板や貼り紙を見ている利用者の場合には点検日等を知ることができるが、時々掲示板等を見る程度の利用者の場合には見落とすことが多い。その結果、例えば１台のエレベータ号機が設置されている建物とか、複数のエレベータ号機が距離的に離れた場所に設置されている建物の場合、非健常者や比較的年齢の高い利用者の昇降移動が難しくなり、また、重い荷物を持った利用者に多大な負担がかかる。
【０００４】
そこで、事前にエレベータの点検日や保守作業中の点検終了時間を表示するエレベータ情報案内装置が提案されている。このエレベータ情報案内装置は、点検日が近づくと、中央監視センタから該当建物のエレベータ制御装置に点検日時の情報を送信する。エレベータ制御装置は、受け取った点検日時情報を、各階の乗場に設置される乗場表示装置に表示する。また、保守員が現場に向かわせているとき、中央監視センタから該当建物のエレベータ制御装置に保守終了時間情報または保守開始時間情報を送信する。ここで、エレベータ制御装置は、前述同様に乗場表示装置に保守終了時間情報または保守開始時間情報を表示する（特許文献１）。
【特許文献１】特開平０２−１０６５７８号公報（図１，図３参照）
【発明の開示】
【発明が解決しようとする課題】
【０００５】
しかしながら、以上のようなエレベータ情報案内装置は、全て中央監視センタから保守に関する情報を送信し、各階乗場の乗場表示装置に表示するのが一般的である。その結果、事前に利用者に点検日時等を知らせることが可能であるが、エレベータ制御装置が点検日時情報等を受け取ると直ちに乗場表示装置に表示するので、予め保守計画に従って早期に点検日時情報等を該当エレベータ制御装置に設定できない。つまり、点検日に近づかない限り、点検日時情報等を該当エレベータ制御装置に設定できない。よって、利用者に対して点検日時等を周知徹底できないことが多い。
【０００６】
また、エレベータの通常運転時、各階の乗場表示装置に点検日時情報を表示することから、乗りかごの現在位置と点検日時情報とを交互に表示しなければならず、利用者に対して点検日時情報を的確に伝達できず、通知効果が半減化する問題がある。
【０００７】
さらに、保守員が現場に向かわせているとき、中央監視センタから該当建物のエレベータ制御装置に保守開始時間情報または保守終了時間情報を送信し、各階の乗場表示装置に表示するので、保守員が現場に出向いている途中の遅延状況や保守作業の遅れ等により、中央監センタから送られてくる保守開始時間や保守終了時間と実際の保守開始時間または保守終了時間との間に大きな時間ずれが生じ、利用者に混乱させる恐れが出てくる。
【０００８】
本発明は上記事情に鑑みてなされたもので、適宜な時期に保守に関する情報をエレベータ制御装置に設定し、かつ、利用者が認識しやすい場所に選択的に表示し、保守案内情報の通知効果を高めるエレベータの保守情報案内装置を提供することを目的とする。
【０００９】
また、本発明の他の目的は、保守作業状況に応じて適切な保守案内情報を利用者へ通知するエレベータの保守情報案内装置を提供することにある。
【課題を解決するための手段】
【００１０】
（１）  上記課題を解決するために、本発明に係るエレベータの保守情報案内装置は、エレベータ乗りかご内のかご操作盤に設けられた保守情報案内表示部と、外部機器からエレベータの保守に関する情報の一種である保守案内情報を受信し、エレベータ乗りかごに接続されているテールコードを介して前記保守情報案内表示部に前記保守案内情報を表示する保守情報処理部を持ったエレベータ制御装置とを備えた構成である。
【００１１】
また、本発明に係るエレベータの保守情報案内装置は、エレベータ乗りかご内のかご操作盤に設けられた保守情報案内表示部と、エレベータ制御装置に設けられ、判定用識別情報を記憶する保守情報記憶部と、外部機器からエレベータの保守に関する情報である保守識別情報、保守情報表示期間、保守案内情報を受信したとき、当該保守識別情報が前記判定用識別情報と一致したとき、前記保守情報記憶部の該当する前記判定用識別情報に対応付けて前記保守情報表示期間及び前記保守案内情報を記憶する保守情報判断記憶手段と、この保守情報判断記憶手段に記憶される保守情報表示期間に基づいて表示開始日時に達したか否かを判断する表示日時判断手段と、この表示日時判断手段によって前記保守情報表示期間が表示開始日時に達したとき、エレベータ乗りかごに接続されているテールコードを介して前記保守情報案内表示部に前記保守案内情報を表示するかご内表示手段とを有する保守情報処理部を持ったエレベータ制御装置とを備えた構成である。
【００１２】
（２）  さらに、本発明に係るエレベータ制御装置は、以上のような前記（１）項の構成要素に新たに、前記保守情報処理部としては、エレベータ乗りかご内またはエレベータ制御装置に設置される点検スイッチがオン操作されたとき、前記保守情報記憶部に対して前記保守案内情報とともに記憶された保守終了時間を読み出し、建物の各階乗場に設置される乗場表示装置のうち、適宜な乗場の乗場表示装置に表示する乗場表示手段と、この保守終了時間を経過しても前記点検スイッチがオフ操作されないとき、前記保守終了時間に所定時間分延長させた保守終了時間を前記保守情報記憶装置に書き込み更新するとともに、該当する乗場の乗場表示装置に表示させる保守時間更新手段を付加した構成である。
【００１３】
なお、前述した保守案内情報としては、点検日、点検日時、点検期間の何れか１つの情報が用いられる。
【発明の効果】
【００１４】
本発明によれば、適宜な時期に保守に関する情報をエレベータ制御装置に設定でき、また、保守に関する情報を利用者の認識しやすい場所に選択的に表示でき、利用者に対する通知効果を高めることができるエレベータの保守情報案内装置を提供できる。
【００１５】
また、本発明は、保守作業状況に応じて適切な保守案内情報を利用者へ通知できるエレベータの保守情報案内装置を提供できる。
【発明を実施するための最良の形態】
【００１６】
以下、本発明の実施形態について図面を参照して説明する。  
図１は本発明に係るエレベータの保守情報案内装置の一実施の形態を適用したエレベータシステムの全体構成図である。  
このエレベータシステムは、かご昇降設備系１と、かご昇降設備系１を運行制御するエレベータ制御装置３と、パーソナルコンピュータ（以下、パソコンと呼ぶ）４とで構成される。
【００１７】
かご昇降設備系１において、１１は昇降路、１２は昇降路１１の適宜な壁または昇降路１１上部の機械室内に設置され、エレベータ制御装置１から回転駆動指示を回転する巻上機、１３は巻上機１２に掛け渡されたメインロープ、１４はメインロープ１３の一端部に吊下される乗りかご、１５はメインロープ１３の他端部に吊下されるつり合い重り、１６はエレベータ制御装置３と乗りかご１６との間に接続されるテールコードである。このテールコード１６は、エレベータ制御装置３から乗りかご１６に所要の電力を供給する他、当該エレベータ制御装置３と乗りかご１６内の各電子機器との間で必要な情報を伝送する機能を持っている。
【００１８】
１７は各階の乗場（図では例えば基準階の乗場）、１８は乗場ドア、１９は乗場１７の上部壁面に設置された乗場表示装置である。
【００１９】
乗りかご１４内部は、図２に示すように、かごドア１４ａ一側部に配置される側板１４ｂにかご操作盤２１が設けられ、また乗りかご４の上部には乗りかご１４の現在位置、移動方向、運転状態を表示するかご案内表示装置２２が設けられている。
【００２０】
かご操作盤２１には、ドア開閉ボタン２３、利用者が行先階呼び操作を行う行先階呼び登録ボタン２４、利用者が必要なときに通話用ボタン操作のもとに乗りかご１４外部と通話を行うためのインターホン２５、緊急避難時などに管理人室やサービスセンターから利用者に必要な音声信号を通報するスピーカ２５の他、かご操作盤２１上部面に設けられ、保守に関する情報，例えば点検日、点検日時等の情報を表示するＬＥＤなどの発行素子で構成される保守情報案内表示部２６及びかご操作盤２１の下部に設けられ、点検スイッチを内蔵するスイッチボックス２７が設けられている。
【００２１】
エレベータ制御装置３は、エレベータの運行に関する情報、例えば速度指令（速度パターン），運行制御の演算に用いる各種の演算パラメータなどの情報の他、保守情報記憶部としての保守情報記憶テーブル３１ａを持った記憶装置３１が接続されている。
【００２２】
保守情報記憶テーブル３１ａには、図３に示すように、例えばビル（建物）ＩＤ、号機ＩＤ、保守情報表示期間、保守案内情報、保守作業フラグ、保守終了時間（保守作業時間）等の記憶領域が設けられ、そのうち、ビルＩＤ及び号機ＩＤ記憶領域には保守対象を識別するための判定用自ビルＩＤ及び判定用エレベータ号機ＩＤが記憶されている。なお、１台のエレベータが設置されている建物の場合にはビルＩＤ及び号機ＩＤの何れか１つの記憶領域を設けてあればよい。
【００２３】
また、エレベータ制御装置３は、乗場呼びやかご内行先階呼びに基づき、速度指令と巻上機１２から取得される回転速度との偏差を零とするためのトルク指令を出力し当該巻上機１２を制御する運行制御部３２と保守情報処理部３３とが設けられている。
【００２４】
保守情報処理部３３は、ＣＰＵによって構成され、機能的には図４に示すように、中央監視センタまたは保守管理会社の各事業所に設置される外部機器であるパソコン４から伝送されてくる保守に関する情報を受信する通信制御部３３ａと、保守情報判断記憶手段３２ｂと、保守案内情報の表示日時を判断する表示日時判断手段３３ｃと、保守に関する情報をかご操作盤２１の保守情報案内表示部２６に表示するかご内表示手段３３ｄと、乗場表示手段３３ｅと、保守時間更新手段３３ｆとが設けられている。
【００２５】
保守情報判断記憶手段３２ｂは、ビルＩＤや号機ＩＤ等の保守識別情報を含む保守に関する情報を受け取ると、記憶装置３１の保守情報記憶テーブル３１ａに登録される判定用ビルＩＤや判定用号機ＩＤを参照し、正当な手続きに基づく保守に関する情報と判断し、保守情報記憶テーブル３１ａ内の該当する判定用ビルＩＤや判定用号機ＩＤに対応付けて保守に関する情報を記憶する。
【００２６】
表示日時判断手段３３ｃは、内蔵される時計情報の元に保守情報記憶テーブル３１ａに記憶される保守情報表示期間が表示日時に達したか否かを判断する。かご内表示手段３３ｄは、保守情報表示期間が表示開始日時に達したとき、点検日，点検日時または点検期間の何れか１つの保守案内情報を読み出し、テールコード１６を通してかご操作盤２１の保守情報案内表示部２６に表示する。
【００２７】
乗場表示手段３３ｅは、スイッチボックス２７内の点検スイッチがオンとなったとき、予め保守に関する情報として保守情報記憶テーブル３１ａに保守終了時間記憶領域に記憶されている保守終了時間情報を読み出し、基準階または各階の乗場１７に設置される乗場表示装置１９に表示する機能を持っている。保守時間更新手段３３ｆは、保守作業の遅れよって保守終了時間を超える状態が生じたとき、予め定める所定時間（例えば３０分）だけ延長させた保守終了時間を保守情報記憶テーブル３１ａの該当する保守終了時間記憶領域に書き換え更新することにより、乗場表示装置１９に更新された保守終了時間を表示する。
【００２８】
さらに、パソコン４は、監視センタまたはエレベータ保守会社の各事業所に設置され、加入電話網、ＩＳＤＮ、パケット交換網等の公衆通信回線網を介してエレベータ制御装置３と接続されている。パソコン４は、保守対象を特定するビルＩＤ、号機ＩＤのもとに保守に関する情報をエレベータ制御装置３に送信し、記憶装置３１の保守情報記憶テーブル３１ａに登録する。
【００２９】
次に、以上のようなエレベータの保守情報案内装置の動作に関し、建物に１台のエレベータが設置されている例について図５を参照して説明する。
【００３０】
中央監視センタまたはエレベータ保守会社の所定の事業所の保守管理部署担当者の操作に基づき、パソコン４から保守対象を特定するビルＩＤとともに、保守情報表示期間、保守案内情報、保守終了時間等の保守に関する情報を、公衆通信回線網を介してエレベータ制御装置３に送信する。
【００３１】
エレベータ制御装置３は、常時は運用制御部３２が乗場呼びやかご呼びに基づき、巻上機１２を駆動制御し、乗りかご１４の運行制御を実施している。
【００３２】
以上のような状態において、エレベータ制御装置３の保守情報処理部３３は、パソコン４からビルＩＤを伴う保守に関する情報を通信制御部３３ａで受信すると、図５に示す一連の処理を実行する。
【００３３】
保守情報処理部３３の保守情報判断記憶手段３２ｂは、常時は保守に関する情報の入力有りかを判断し（Ｓ１）、通信制御部３３ａがビルＩＤを伴う保守に関する情報を受信すると、保守情報入力有りと判断し、パソコン４から送られてくる保守識別情報であるビルＩＤと保守情報記憶テーブル３１ａのビルＩＤ記憶領域に記憶される判定用識別情報である判定用ビルＩＤとを比較し、ビルＩＤ記憶領域に同一の判定用ビルＩＤが登録されていれば、真正な保守に関する情報と判断し、保守情報記憶テーブル３１ａの各記憶領域に保守情報表示期間、保守案内情報、保守終了時間を順次記憶した後（Ｓ３）、表示日時判断手段３３ｃを実行する。
【００３４】
表示日時判断手段３３ｃは、内蔵する時計情報に基づき、保守情報記憶テーブル３１ａに記憶される保守情報表示期間から保守案内情報を表示するための表示開始時間に達したか否かを判断し（Ｓ４）、達していない場合にはステップＳ１に戻り、同様の処理を繰り返す。保守情報表示期間から保守案内情報の表示開始時間に達していると判断されたとき、かご内表示手段３３ｄを実行する。
【００３５】
かご内表示手段３３ｄは、保守情報記憶テーブル３１ａの保守案内情報記憶領域から保守案内情報、例えば点検日：××月××日、点検日時：××月××日××時、点検期間：××月××日〜××月××日」なる保守案内情報を読み出し、テールコード１６を通してかご操作盤２１の保守情報案内表示部２６に表示する（Ｓ５）。
【００３６】
これにより、エレベータ利用者は、乗りかご１４に乗っている間及び保守情報表示期間の間、保守情報案内表示部２６に表示される「点検日：××月××日」なる保守案内情報を見ることが可能となり、ひいてはエレベータ利用者は確実に保守案内情報を知ることができる。
【００３７】
そして、かご内表示手段３３ｄは、保守情報表示期間から保守情報の表示終了時間まで継続して保守情報案内表示部２６に前述した保守案内情報を表示する（Ｓ６）。ここで、保守案内情報の表示終了時間に達すると、保守案内情報の表示を終了し、乗場表示手段３３ｅを実行する。
【００３８】
この乗場表示手段３３ｅは、保守情報記憶テーブル３１ａの保守作業フラグ記憶領域にフラグ「１」が立っているか判断する（Ｓ７）。フラグ「１」は次の条件のもとに設定される。保守員が保守現場に到着し、乗りかご１４のかご操作盤２１に取り付けられているスイッチボックス２７内の点検ボックスをオンに設定すると、テールコード１６を介して運行制御部３２または保守情報処理部３３が点検開始と判断し、保守情報記憶テーブル３１ａの保守作業フラグ記憶領域にフラグ「１」を設定する。
【００３９】
従って、乗場表示手段３３ｅは、保守作業フラグ記憶領域にフラグ「１」が立っていると判断したときに保守作業開始と判断し、保守情報記憶テーブル３１ａの保守終了時間（現在時刻＋保守作業時間）を読み出し、基準階または各階の乗場１７の乗場表示装置１９に表示する（Ｓ８）。これにより、エレベータ利用者は乗場表示装置１９の表示内容から何時保守作業が終了するかを容易に知ることができる。
【００４０】
そして、乗場表示装置１９に保守終了時間を表示した後、保守終了時間を経過したか否かを判断し（Ｓ９）、未だ経過していない場合には保守情報記憶テーブル３１ａの保守作業フラグ記憶領域にフラグ「０」が立っているか否かを判断する（Ｓ１０）。ここで、フラグ「０」が立っていない場合にはステップＳ８に戻り、保守終了時間の表示を継続する。
【００４１】
ステップＳ９において、保守終了時間が経過すると、保守情報記憶テーブル３１ａの保守作業フラグ記憶領域にフラグ「０」が立っているか否かを判断し（Ｓ１１）、フラグ「０」が立っていない場合には保守時間更新手段３３ｆを実行する。
【００４２】
この保守時間更新手段３３ｆは、フラグ「０」が立っていないと判断されたとき、保守終了時間に所定時間、例えば３０分をプラスし、保守情報記憶テーブル３１ａの保守終了時間を書き換え更新し（Ｓ１２）、引き続き、乗場表示装置１９に保守終了時間を表示する（Ｓ８）。
【００４３】
なお、ステップＳ１１において、保守情報記憶テーブル３１ａの保守作業フラグ記憶領域にフラグ「０」が立っている場合、つまりスイッチボックス２７内の点検スイッチがオフとなっていれば、処理継続か否かを判断し（Ｓ１３）、処理継続の場合にはステップＳ１に移行し、前述した一連の処理を繰り返し実行する。
【００４４】
従って、以上のような実施の形態によれば、パソコン４から事前に保守情報表示期間を含む保守案内情報をエレベータ制御装置３に送信し、記憶装置３１の保守情報記憶テーブル３１ａに登録すれば、保守情報処理部３３は表示開始時間になったとき、自動的に保守案内情報を読み出し、乗りかご１４内のかご操作盤２１に設けた保守情報案内表示部２６に保守情報表示期間に連続的に表示するので、予め保守計画に従って早期に点検日、点検日時、点検期間等の保守案内情報を設定でき、事前に利用者に点検日、点検日時、点検期間等を確実に知らせることができる。
【００４５】
また、エレベータの保守作業時、保守作業フラグを立て、予め定める保守終了時間を基準階または各階乗場１７の乗場表示装置１９に表示するので、利用者は保守作業が何時までかかるか把握できるとともに、保守作業が遅れたときに自動的に所定時間延長した保守時間に更新するので、エレベータ利用者に保守作業の進捗状況を的確に伝達できる。
【００４６】
さらに、パソコン４から保守に関する情報をエレベータ制御装置３に送信し、保守情報記憶テーブル３１ａに登録したが、その後、保守に関する情報に変更が生じた場合には同様にパソコン４からビルＩＤを含む保守に関する情報を送信すれば、容易に保守情報記憶テーブル３１ａの内容を変更できる。
【００４７】
（他の実施の形態）
（１）  パソコン４から保守計画に従って常に保守作業日に近づいたときに点検日、点検日時などの保守案内情報を送信する場合、保守情報処理部３３は、点検日、点検日時などの保守案内情報を受信すると同時に乗りかご１４内の保守情報案内表示部２６に表示する構成としてもよい。このような装置では、パソコン４から保守情報表示期間が送信されないばかりか、保守情報記憶テーブル３１ａには保守情報表示期間領域を設けなくてもよい。
【００４８】
この実施の形態によれば、点検日に近づいたとき、パソコン４からの点検日、点検日時などの保守案内情報を受け取って直ちに乗りかご１４内の保守情報案内表示部２６に連続的に表示するので、従来の乗場表示装置の運転状態と保守情報とを交互に表示するものに比較し、利用者に対する点検日、点検日時などの保守情報の通知効果を高めることができる。
【００４９】
（２）  上記実施の形態では、乗りかご１４のかご操作盤２１に設けたスイッチボックス２７内の点検スイッチをオンさせたとき、保守情報記憶テーブル３１ａの保守作業フラグ記憶領域に「１」を立てたが、例えばかご操作盤２１の点検スイッチに代えて、エレベータ制御装置３側の点検スイッチをオンさせたとき、保守情報記憶テーブル３１ａの保守作業フラグ記憶領域に「１」を設定し、図５に示す一連の処理を実行する構成であっても構わない。
【００５０】
さらに、保守情報記憶テーブル３１ａにエレベータ制御装置３側の点検スイッチと及び乗りかご１４のスイッチボックス２７内の点検スイッチに対応させて制御装置用の第１の保守作業フラグ記憶領域及びかご点検用の第２の保守作業フラグ記憶領域を設け、何れの点検スイッチがオン操作されたとき、該当保守作業フラグ領域にフラグ「１」を設定する。そして、かご内表示手段３３ｄは、両方の保守作業フラグ領域のフラグ「１」を確認しながらステップＳ８以降の処理を進めていくことも可能である。
【００５１】
（３）  さらに、同一の建物に複数のエレベータ号機が設置されている場合、図６に示すような処理を実行する。この場合には、図３に示すように保守情報記憶テーブル３１ａには判定用ビルＩＤ及び判定用号機ＩＤのうち、少なくとも判定用号機ＩＤが記憶されている。また、パソコン４からビルＩＤ及び号機ＩＤのうち、少なくとも号機ＩＤからなる保守識別情報を含む保守に関する情報がエレベータ制御装置３に送信される。
【００５２】
エレベータ制御装置３の保守情報処理部３３は、図５に示すステップＳ１〜Ｓ４の処理を実行し、ステップＳ４にて保守情報記憶テーブル３１ａに記憶される保守情報表示期間から保守案内情報の表示開始時間に達していると判断されたとき、かご内表示手段３３ｄを実行する。
【００５３】
かご内表示手段３３ｄは、表示開始時間に達していると判断されたとき、保守情報記憶テーブル３１ａの判定用号機ＩＤから何れの号機が表示開始時間に達しているか特定する。そして、かご内表示手段３３ｄは、保守情報記憶テーブル３１ａの保守案内情報記憶領域から特定号機に関する保守案内情報、例えば点検日：××月××日、点検日時：××月××日××時、点検期間：××月××日〜××月××日」なる保守案内情報を読み出し、テールコード１６を通してかご操作盤２１の保守情報案内表示部２６に表示する（Ｓ２１−１、Ｓ２１−２、…、Ｓ２１−ｉ、Ｓ２２）。つまり、特定の号機にて例えば点検日：××月××日に点検を行う旨を表示する
これにより、エレベータ利用者は、乗りかご１４に乗っている間及び保守情報表示期間の間、「特定号機で××月××日」に点検を行う旨の保守案内情報を見ることが可能となり、ひいてはエレベータ利用者は確実に特定号機に関する保守案内情報を知ることができる。
【００５４】
そして、かご内表示手段３３ｄは、ステップＳ２３に移行し、保守情報記憶テーブル３１ａに記憶される各保守情報表示期間から次号機の表示開始時間に達しているか判断し（Ｓ２３）、次号機の表示開始時間に達している場合には次号機を特定し（Ｓ２１−１、Ｓ２１−２、…、Ｓ２１−ｉ）、当該特定の号機にて例えば点検日：××月××日に点検を行う旨を表示する（Ｓ２２）。
【００５５】
ステップＳ２３において、次号機の表示開始時間に達していない場合、保守情報表示期間から保守情報の表示終了時間まで継続して保守情報案内表示部２６に前述した保守案内情報を表示する（Ｓ２４）。ここで、保守案内情報の表示終了時間に達すると、保守案内情報の表示を終了し、乗場表示手段３３ｅを実行する。
【００５６】
この乗場表示手段３３ｅ及び保守時間更新手段３３ｆは、図５に示すＳ８ないしＳ１２の処理を実行し、個別の号機に関する点検が終了したとき、各号機におけるＳ８ないしＳ１２の処理を確認する（Ｓ２５）。そして、パソコン４から指示された全部の号機の点検作業が終了したとき、処理継続を判断し（Ｓ２６）、ステップＳ１に戻るか、処理を終了する。
【００５７】
この実施の形態によれば、上記実施の形態（図１〜図５）と同一の効果を奏する他、複数のエレベータ号機が設置されている場合、号機を特定しながら保守に関する情報を利用者に通知することができる。
【００５８】
その他、本発明は、上記実施の形態に限定されるものでなく、その要旨を逸脱しない範囲で種々変形して実施できる。
【図面の簡単な説明】
【００５９】
【図１】本発明に係るエレベータの保守情報案内装置を適用したエレベータシステムの構成図。
【図２】図１に示す乗りかご内部の状態を示す図。
【図３】図１に示す記憶装置に設けられた保守情報記憶テーブルのデータ配列図。
【図４】本発明に係るエレベータの保守情報案内装置における保守情報処理部の機能ブロック図。
【図５】本発明に係るエレベータの保守情報案内装置の動作を説明するフローチャート。
【図６】本発明に係るエレベータの保守情報案内装置の他の実施の形態における動作を説明するフローチャート。
【符号の説明】
【００６０】
１…かご昇降設備系、３…エレベータ制御装置、４…パソコン（外部機器）、１２…巻上機、１４…乗りかご、１５…つり合い重り、１６…テールコード、１７…乗場、１９…乗場表示装置、２１…かご操作盤、２６…保守情報案内表示部、２７…スイッチボックス、３１…記憶装置、３１ａ…保守情報記憶テーブル、３２…運行制御部、３３…保守情報処理部、３３ｂ…保守情報判断記憶手段、３３ｃ…表示日時判断手段、３３ｄ…かご内表示手段、３３ｅ…乗場表示手段、３３ｆ…保守時間更新手段。
【図１】
2008074534.tif 000003
【図２】
2008074534.tif 000004
【図３】
2008074534.tif 000005
【図４】
2008074534.tif 000006
【図５】
2008074534.tif 000007
【図６】
2008074534.tif 000008